(57)【要約】【課題】光束立ち上り特性および発光効率を向上できるとともに、一層の小形化を図ることができる電球形蛍光ランプおよび照明装置を提供することを目的とする。【解決手段】発光管４の端部まで螺旋形部４ｅに形成しているので放電路長を長くすることが可能となるため、螺旋形部４ｅにおける光束の増大と発光効率の向上を共に図ることができるとともに、バルブ端部を含むバルブ全体を螺旋状に形成しているが、ガラスバルブの一対の電極封止端部４ａ，４ｂを結ぶ線と旋回軸○とは直交する関係にあるため、細管を屈曲させることなく口金側まで延在させることができる。【選択図】  図１
2010086707.tif 000002
【特許請求の範囲】
【請求項１】
カバー本体の一端側に口金を備え他端側に取付端部を有するカバーと；
１本の放電路の中央部から両端部まで旋回軸の廻りを２重螺旋状に形成されたバルブを有し、バルブの両端部には一対の電極が封着されており、バルブの両端部のうち少なくとも一方の端部には細管が螺旋軸と同軸方向口金側に延在している発光管と；
カバー内に収容された点灯装置と；
を具備していることを特徴とする電球形蛍光ランプ。
【請求項２】
放電路の中央部からバルブ端部まで旋回軸の廻りを旋回する螺旋状に形成されたバルブを有し、一対の電極を封装するバルブ封止端部がなす面が旋回軸に対し略直交するようバルブ端部が封止されており、旋回軸に対して略平行する口金方向に細管が封着された発光管と；
カバー本体の一端に口金を備え他端には前記発光管を保持する保持部を有するカバーと；
カバー内に収容される点灯装置と；
を具備していることを特徴とする電球形蛍光ランプ。
【請求項３】
請求項１または2記載の電球形蛍光ランプと；
電球形蛍光ランプが取り付けられる器具本体と；
を具備していることを特徴とする照明装置。
【発明の詳細な説明】
【技術分野】
【０００１】
本発明は、電球形蛍光ランプおよびこの電球形蛍光ランプを具備した照明装置に関する。
【背景技術】
【０００２】
従来、この種の電球形蛍光ランプは、ＪＩＳに定義されている一般照明用電球に近い寸法に小形化されており、一般照明用電球に近似した外観を有する。
【０００３】
この種の電球形蛍光ランプは、屈曲形のバルブを有する発光管、カバー本体の一端に口金を取り付け他端側で発光管を支持するカバー、このカバー内に収容される点灯装置、発光管を被覆してカバーの他端側に取り付けられるグローブ等を具備している。
【０００４】
そして、近年では、グローブ内の狭隘な空間内に配設される屈曲バルブ形状は、その端部が直線状や螺旋状と異なるが、螺旋状に形成することで放電路長の増大を図ったものが提案されている（例えば、特許文献１および２参照）。
【特許文献１】特開２００８−２７８５０号公報
【特許文献２】特開２００４−２６５７３５号公報
【発明の開示】
【発明が解決しようとする課題】
【０００５】
しかしながら、バルブ端部が直線状のバルブ端部を有する電球形蛍光ランプは、バルブ端部まで螺旋形状の発光管に対して高さ方向を同一とした場合、放電路が短くなり、発光効率が低下する。
【０００６】
一方、バルブ端部まで螺旋形状の発光管を有する電球形蛍光ランプでは、小形化には適しているものの、光束立ち上り特性を改善するため、バルブ端部に封着させる細管の一部を口金側まで延在させるには、旋回したバルブ端部から細管を屈曲形成する必要があり、製造が困難である。
【０００７】
本発明はこのような事情を考慮してなされたもので、光束立ち上り特性および発光効率を向上できるとともに、一層の小形化を図ることができる電球形蛍光ランプおよび照明装置を提供することを目的とする。
【課題を解決するための手段】
【０００８】
請求項１記載の電球形蛍光ランプは、カバー本体の一端側に口金を備え他端側に取付端部を有するカバーと；１本の放電路の中央部から両端部まで旋回軸の廻りを２重螺旋状に形成されたバルブを有し、バルブの両端部には一対の電極が封着されており、バルブの両端部のうち少なくとも一方の端部には細管が螺旋軸と同軸方向口金側に延在している発光管と；カバー内に収容された点灯装置と；を具備していることを特徴とする。
【０００９】
１本の放電路の中央部から両端部まで旋回軸の廻りを２重螺旋状に形成されたバルブとは、両端部に位置するバルブ端部に到るまで、ほぼ同一の旋回ピッチにて、バルブ端部方向へ外観形状が略筒状となるよう旋回軸方向に旋回していることを示す。なお、略筒状とは、旋回バルブに囲まれた空間が円や楕円であるものも含まれる。
【００１０】
旋回軸と同軸方向に延在する細管は、バルブ端部から延在するように封着されたものであり、主アマルガム封入用として使用されるほか、排気管として使用されるものであっても構わない。
【００１１】
なお、バルブ端部に封着された細管は、点灯中の熱源から離間させ、口金方向へ延在させることでその一部に４０〜７０度の領域を形成することができる。したがって、水銀の蒸気圧特性に近い水銀合金を使用することができる。なお、旋回軸と同軸となるように延在している細管とは、直線状の細管すべてにおいて旋回軸と同軸であるもののほか、細管のほとんどが直線上であるものの、一部に屈曲部を有していても構わない。
【００１２】
なお、口金側方向へ延在しているとは、口金が設けられるカバー体の部分および当該部分から発光管側に連続的に延在した比較的温度が低いカバー体の点灯装置収容部内側ならびに口金のみの空間も含まれる。
【００１３】
また、バルブ端部から突出形成された細管を封着する方法は、フレアステムなどの封止用硝子部材を使用しても、バルブ端部を加熱溶融させ圧潰封着方法を用いても構わない。
【００１４】
カバー体は、口金が取り付けられるとともに、口金が取り付けられた他端には蛍光ランプを指示する取付端部を備え、内部に点灯装置の収容空間を有する収容部が形成されている。取付端部は、螺旋状に旋回したバルブ端部が挿入可能な形状であれば全て許容する。
口金は、白熱電球用のＥ形と称されるねじ込みタイプが通常使用されるが、これに限定されない。
【００１５】
点灯装置は、電解コンデンサやチョークコイルなどの複数の電子部品から構成されたインバータ方式であって、これらの電子部品は基板に実装され、カバー体内に収容されるものである。なお、点灯装置の基板は発光管の旋回軸に対して同軸となるよう縦形配置していても、旋回軸に対して直交する方向となるよう横形配置しても構わない。
【００１６】
また、発光管を覆うグローブを有していてもよく、その形状は一般白熱電球のシルエットと略同形状をなしていることが望ましいが、球形状や、円筒状であっても構わない。さらに、光拡散膜などが形成されたガラス製や樹脂製など、材質も限定されない。
【００１７】
請求項２記載の電球形蛍光ランプは、放電路の中央部からバルブ端部まで旋回軸の廻りを旋回する螺旋状に形成されたバルブを有し、一対の電極を封装するバルブ封止端部がなす面が旋回軸に対し略直交するようバルブ端部が封止されており、旋回軸に対して略平行する口金方向に細管が封着された発光管と；カバー本体の一端に口金を備え他端には前記発光管を保持する保持部を有するカバーと；カバー内に収容される点灯装置と；を具備していることを特徴とする。
請求項３記載の照明装置は、請求項１または２記載の電球形蛍光ランプと；電球形蛍光ランプが取り付けられる器具本体と；を具備していることを特徴とする。
【発明の効果】
【００１８】
請求項１記載の電球形蛍光ランプによれば、１本の放電路を有するバルブを旋回軸の廻りを２重螺旋状に形成されたバルブを有しているので、小形化を図りつつ放電路長を長く確保することができるとともに、螺旋バルブの軸と同軸方向となるよう細管が封着されているので直管状の細管を口金側まで延在させることができる。したがって、光束立ち上り特性が良好な電球形蛍光ランプを容易に製造することができる。
【００１９】
請求項２記載の電球形蛍光ランプによれば、バルブ端部まで旋回軸の廻りを旋回する螺旋形状とすることで、小形化を図りつつ放電路長を比較的長く形成することができる。さらに、螺旋状の発光管の旋回軸と略直交する方向に一対のバルブ端部が封止されているので、バルブ端部に封着した細管を螺旋バルブの旋回軸に対して略平行する口金側空間まで直線的に延在させることができる。したがって、製造を容易にするとともに。光束立ち上り特性が良好な電球形蛍光ランプを提供することができる。
【００２０】
請求項３記載の電球形蛍光ランプによれば、請求項１または２記載の電球形蛍光ランプを具備しているので、これら電球形蛍光ランプの作用効果を有する照明装置を提供することができる。
【発明を実施するための最良の形態】
【００２１】
以下、本発明の実施形態を添付図面に基づいて説明する。なお、複数の添付図面中、同一または相当部分には、同一符号を付している。
図１は本発明の第１の実施形態に係る電球形蛍光ランプおよび照明装置の一部を縦断面で示す正面図、図２は図１で示す発光管の側面図である。
【００２２】
図１に示すように電球形蛍光ランプ１は、その高さ方向（管軸方向）の一端（図１では下端）に口金２を有するカバー３、このカバー３の他端（図１では上端）側に支持された発光管４、この発光管４の一端側を支持するカバー３に取り付けられたホルダ５、発光管４を覆うとともに一端側でホルダ５の周囲も覆ってカバー３に取り付けられたグローブ６、口金２およびカバー３の内側に収納された点灯装置７を備えている。そして、電球形蛍光ランプ１は、定格電力が例えば４０Ｗタイプ、６０Ｗタイプ、１００Ｗタイプの白熱電球などのＪＩＳ  Ｃ  ７５０１に定義される一般照明用電球に近い寸法と外観に形成されている。
【００２３】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。シェル２ａは、その他端側をカバー３の一端部に被せて接着剤またはかしめなどにより固定されている。
【００２４】
カバー３は、例えばポリブチレンテレフタレート（ＰＢＴ）などの耐熱性合成樹脂により図１中下方に向けて漸次縮径する逆円錐台状部と円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である環状の開口取付端部３ｂが形成されている。
【００２５】
この取付端部３ｂ内には、カバー本体３ａの円錐台状部と円筒部との連結部内側の環状凸状段部３ｃ上にて、ホルダ５の下部円筒状開口端を載置し固着している。
【００２６】
すなわち、ホルダ５は例えばＰＢＴ等の耐熱性合成樹脂により有蓋円筒状に形成され、その蓋部をなす円板状の基板部５ａの図中下面周縁部に、一端（図１では下端）側に突出する円筒状の円筒部５ｂを一体に連成し、この円筒部５ｂの図１中開口下端を、カバー本体３ａの凸状段部３ｃ上に係合させて固着している。
【００２７】
ホルダ５は、基板部５ａ上に、発光管４の一対の電極封止端部４ａ，４ｂを載置させて支持する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する細管４ｃと図２で示すアウタワイヤ４ｄ，４ｄをそれぞれ挿通させるようになっている。なお。電極封止端部４ｂに封止された細管４ｃは口金２側まで直線状に延在している。
【００２８】
発光管４は、その内面に、希土類金属酸化物等からなる蛍光体膜をほぼ全長に亘って形成し、軸方向両端部には、一対の電極４ｉ，４ｊをそれぞれ封装して電極封止端部４ａ，４ｂをそれぞれ形成している。
【００２９】
すなわち、図２に示すように螺旋形部４ｅは、ガラスバルブの一方の電極封止端部、例えば４ａから旋回軸Ｏ回りに旋回しながら図１中上方の頂端部である折返し部４ｈに至る第１の旋回部と、この折返し部４ｈの他端から旋回軸Ｏ回りに旋回しながら他方の電極封止端部、例えば４ｂに至る第２の旋回部とを有する２重螺旋形状を有し、例えば各旋回部がそれぞれほぼ２周旋回（ターン数）している。したがって、螺旋形部４ｅは螺旋ピッチが密の密ピッチ部に形成され、放電路が長い長放電路部に形成されている。バルブ端部は、旋回方向延長線を傾斜方向に圧潰封止することで、バルブ端部の硝子溜り部の放電路側と螺旋バルブ下面とがほぼ同一位置となるよう封止されている。
一対の電極４ｉ，４ｊは、例えばタングステン製のコイル電極が使用されており、例えば圧潰封止によりガラスバルブの両端部に封着されている。
なお、図２に示すように、ガラスバルブの一対の電極封止端部４ａ，４ｂを結ぶ線Ａと旋回軸○とは略直交する方向に形成されている。
【００３０】
ガラスバルブ内には、アルゴンやクリプトンガス等の放電媒体が封入されており、一対の電極封止端部４ａ，４ｂの外面には、その内部に連通する細管４ｃが突設されている。細管４ｃ内には水銀またはアマルガム８が収容されている。
【００３１】
グローブ６は、透明または光拡散性を有するガラスや合成樹脂などの材質により、白熱電球などの一般照明用電球のガラス球の形状に近い滑らかな曲面状に形成されている。すなわち、グローブ６は、ほぼ球状に形成された球状部６ａの図１中下端部に、この球状部６ａの直径よりも小径に漸次縮径されたほぼ円筒状の縮径部６ｂを一体に連成しており、球状部６ａはグローブ６の最大径を示す最大径部６ｃを有する。縮径部６ｂは、グローブ６の一端部（図１中下端部）に開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００３２】
点灯装置７は、点灯回路パターンを形成した縦基板７ａを口金２内面の一対の縦溝内に嵌入して固定している。すなわち、口金２は、その内面に、その直径方向で対向する一対の縦溝を口金２の軸方向に形成し、この縦溝内に縦基板７ａの幅方向両側縁部を嵌入させて固定している。縦基板７ａは片面または両面基板に構成され、その実装面には、電解コンデンサ等のリード部品やトランジスタ等のチップ部品等の点灯回路部品である複数の電子部品７ｂ，７ｂ，…が実装されている。
このように構成された電球形蛍光ランプ１によれば、一般照明用電球近似の外観を得ることができる。
【００３３】
また、発光管４の端部まで螺旋形部４ｅに形成しているので放電路長を長くすることが可能となるため、螺旋形部４ｅにおける光束の増大と発光効率の向上を共に図ることができる。
【００３４】
また、バルブ端部を含むバルブ全体を螺旋状に形成しているが、ガラスバルブの一対の電極封止端部４ａ，４ｂを結ぶ線と旋回軸○とは略直交する関係にあるため、細管を屈曲させることなく口金側まで延在させることができる。
【００３５】
図３は本発明の第２の実施形態に係る照明装置１１の概略構成図である。この照明装置１１は、例えばダウンライト等の照明装置であり、照明器具本体１２を有する。この照明器具本体１２内にはソケット１３および反射体１４が取り付けられ、ソケット１３には上記電球形蛍光ランプ１の口金２がねじ込みにより装着される。
この照明装置１１によれば、電球形蛍光ランプ１の高光束、高発光効率の螺旋形部４ｅが図中下方に向いているので、直下照度を向上させることができる。
【００３６】
また、電球形蛍光ランプ１の口金２側へ放射される光束を増大させる直状部４ｆが照明器具本体１２の反射体１４側に位置して対向しているので、この反射体１４により反射される反射光を増加させることができる。
【図面の簡単な説明】
【００３７】
【図１】本発明の第１の実施形態に係る電球形蛍光ランプの一部を縦断面で示す正面図。
【図２】図１で示す発光管の側面図。
【図３】本発明の第２の実施形態に係る照明装置の概略構成図。
【符号の説明】
【００３８】
１…電球形蛍光ランプ、２…口金、３…カバー、３ａ…カバー本体、３ｂ…カバーの開
口取付端部、４…発光管、４ａ，４ｂ…一対の電極封止端部、細管…４ｃ、４ｈ…折返し部、４ｅ…発光管の螺旋形部、電極…４ｉ，４ｊ、最終旋回部…４ｋ，４ｌ、５…ホルダ、５ａ…ホルダの基板部、５ｃ…ホルダの筒状支持部、５ｄ，５ｅ…ホルダの取付孔、６…グローブ、６ａ…グローブの開口端部、６ｂ…グローブの縮径部、７…点灯装置、７ａ…点灯装置の縦基板、７ｂ…点灯装置の電子部品、１１…照明装置、１２…照明器具本体。
【図１】
2010086707.tif 000003
【図２】
2010086707.tif 000004
【図３】
2010086707.tif 000005